(57)【要約】【課題】室外からの不正操作に対する耐性が高く、かつ、サムターンを室内から見るだけで簡単に施解錠状態を知ることのできるサムターン装置の提供を目的とする。【解決手段】錠装置１を施解錠操作するサムターン軸２と、  サムターン軸２の室内側先端部をサムターン軸２に対して空転自在に覆い、中間部にサムターン軸２を露出させる窓部３を備えた操作摘み部材４と、  操作摘み部材４に付勢力を付与し、サムターン軸２と操作摘み部材４を所定の初期相対回転位置に保持する付勢手段５とを有する。【選択図】  図１
2007002558.tif 000002
【特許請求の範囲】
【請求項１】
錠装置を施解錠操作するサムターン軸と、
サムターン軸の室内側先端部をサムターン軸に対して空転自在に覆い、中間部にサムターン軸を露出させる窓部を備えた操作摘み部材と、
操作摘み部材に付勢力を付与し、サムターン軸と操作摘み部材を所定の初期相対回転位置に保持する付勢手段とを有するサムターン装置。
【請求項２】
前記付勢手段は、サムターン軸と操作摘み部材との間に介装されるトーションスプリングにより形成される請求項１記載のサムターン装置。
【請求項３】
前記付勢手段は、サムターン軸と操作摘み部材の各々に固定され、前記初期相対回転位置において反対磁極が対峙する永久磁石により形成される請求項１記載のサムターン装置。
【発明の詳細な説明】
【技術分野】
【０００１】
本発明はサムターン装置に関するものである。
【背景技術】
【０００２】
室外側からの不正操作を防止することのできるサムターン装置としては特許文献１に記載のものが知られている。この従来例においてサムターン装置は、室内側先端に回動円板を固定したサムターン軸と、回動円板を含むサムターン軸の室内側先端部全体をサムターン軸に対して空転自在に覆う空転カバーとを有する。
【０００３】
回動円板の周縁の一部は空転カバーから露出しており、操作者は該露出部を握ってサムターン軸を回転操作し、錠装置の施解錠操作を行うことができる。これに対し、室外からの器具等を使用した操作では空転カバーへの操作力しか与えることができないために、サムターンへの不正操作を防止できる。
【特許文献１】特開２００３-１５５８５１号公報
【発明の開示】
【発明が解決しようとする課題】
【０００４】
しかし、上述した従来例は、サムターン軸に対する空転カバーの相対回転角度が一定しないために、空転カバーの位置から直ちに施解錠状態を判別できないという欠点がある。
【０００５】
本発明は、以上の欠点を解消すべくなされたものであって、室外からの不正操作に対する耐性が高く、かつ、サムターンを室内から見るだけで簡単に施解錠状態を知ることのできるサムターン装置の提供を目的とする。
【課題を解決するための手段】
【０００６】
本発明によれば上記目的は、
錠装置１を施解錠操作するサムターン軸２と、
サムターン軸２の室内側先端部をサムターン軸２に対して空転自在に覆い、中間部にサムターン軸２を露出させる窓部３を備えた操作摘み部材４と、
操作摘み部材４に付勢力を付与し、サムターン軸２と操作摘み部材４を所定の初期相対回転位置に保持する付勢手段５とを有するサムターン装置を提供することにより達成される。
【０００７】
サムターン軸２の室内側先端部に装着される操作摘み部材４は、サムターン軸２に対して空転自在であり、操作摘み部材４にはサムターン軸２を露出させるための窓部３が開設される。サムターン軸２への回転操作は上記窓部３から露出するサムターン軸２を直接操作することによってのみ可能であり、操作摘み部材４を操作してもサムターン軸２を操作することができない。
【０００８】
窓部３からのサムターン軸２への回転操作には、窓部３から露出するサムターン軸２をつまみ、あるいは握る必要があるために、室外から工具（Ｔ）等を使用した操作によってはサムターン軸２を操作することができず、室外からのサムターン装置の不正操作による解錠操作が不可能となる。
【０００９】
窓部３から露出させるサムターン軸２は一般部、すなわち他の部位と同一であっても、あるいは径を変化させたものであってもよい。露出部を太径とする場合には、従来例に示すように、円板部材のような別部材を固定することもできる。また、露出部の径を大きくするとサムターン軸２に回転トルクを付加させやすくなるために操作性が向上するが、露出部の径を大きくしない場合には、外周部に  ローレット加工等を施して操作性の向上を図ることが望ましい。
【００１０】
サムターン軸２と操作摘み部材４との間には初期相対回転位置が予め設定されており、操作摘み部材４は、付勢手段５により上記初期相対回転位置側に付勢される。この結果、サムターン軸２が施解錠いずれの回転位置にあっても、操作摘み部材４はサムターン軸２の回転姿勢に追随するように回転する。このため、操作摘み部材４の回転姿勢を見るだけで錠装置１の施解錠状態を簡単に判別することができる。
【００１１】
付勢手段５にはトーションスプリング、あるいは永久磁石が使用できる。トーションスプリングを使用した場合であっても、係止脚５ａが適宜係止部から係脱することにより操作摘み部材４の３６０°超の相対回転に対応可能であるが、永久磁石を使用した場合には３６０°超の回転が与えられた場合であっても、より円滑な空転が保障される。
【発明の効果】
【００１２】
本発明によれば、室外からの不正操作に対しては操作摘み部材が空転してサムターン軸を回転させることができないので、不正操作に対する耐性を高めることができる。また、操作摘み部材は、無負荷状態でサムターン軸に追随するために、操作摘み部材を室内から見るだけで簡単に施解錠状態を知ることができる。
【発明を実施するための最良の形態】
【００１３】
図１、２に示すように、サムターン装置はサムターンケース６にサムターン軸２を回転自在に保持して形成される。サムターンケース６は、ドア７に固定した状態でドア７の室内側壁面に位置するサムターンローズ６ａにアタッチメント６ｂを連結して形成される。アタッチメント６ｂは連結部６ｃを有し、この連結部６ｃにおいてドア７内、あるいはドア７の室内側壁面に面付錠として固定される箱錠等の錠装置１に取付けピンにより連結される。
【００１４】
サムターン軸２はサムターンローズ６ａ側に保持される操作杆２ａと、アタッチメント６ｂ側に保持される錠連結杆２ｂとからなり、アタッチメント６ｂをサムターンローズ６ａに連結してサムターンケース６を完成させた際に相互に連結される。操作杆２ａと錠連結杆２ｂとは相互の空転を防止するために、一方には角棒部２ｃが、他方に角棒部が嵌合する矩形の孔部２ｄが設けられる。
【００１５】
上記アタッチメント６ｂが錠装置１に固定された状態、すなわちサムターンケース６をドア７に固定した状態で錠連結杆２ｂは錠装置１のデッドボルト操作部に嵌合し、デッドボルト１ａを進退操作する。
【００１６】
操作杆２ａは円形断面を有し、サムターンローズ６ａに回転自在に連結される操作摘み部材４に挿通される。操作摘み部材４はサムターンローズ６ａから室内側に飛び出す摘み突部４ａを有し、さらに、操作摘み部材４には、上記操作杆２ａを相対回転自在に受容するために、後端面に開口する円形断面の軸挿通孔４ｂが摘み突部４ａの先端近傍にまで穿孔される。
【００１７】
操作摘み部材４の摘み突部４ａは回転姿勢が容易に判別することができるように正面視細長矩形状に形成される。摘み突部４ａの側壁には軸挿通孔４ｂに達する窓部３が開設され、該窓部３から操作杆２ａが露出する。操作杆２ａの窓部３からの露出部が摘みやすいように、摘み突部４ａの矩形幅寸法（Ｗ）は上記操作杆２ａの直径より小寸に形成される。
【００１８】
上記操作摘み部材４とサムターン軸２の操作杆２ａとの間にはトーションスプリング（付勢手段５）が装着される。図２（ｂ）に示すように、トーションスプリング５のコイル部５ｂ両端に形成される係止脚５ａを係止するために、操作杆２ａにはばね掛け段部８が、操作摘み部材４側にはばね掛け用切欠９が設けられ、上記トーションスプリング５の係止脚５ａはばね掛け用切欠９を超えてばね掛け段部８に係止する。
【００１９】
また、トーションスプリング５のコイル部５ｂの内径は、少なくとも操作摘み部材４が予め設定された操作角度（この実施の形態においては１８０°）だけ縮径方向に相対回転した場合であっても操作摘み部材４外周に干渉しない程度の寸法に設定される。
【００２０】
したがってこの実施の形態において、図１、２に示す解錠状態において、操作杆２ａの窓部３からの露出部を摘んで解錠方向に９０°回転すると、図３に示すように、操作杆２ａとともに操作摘み部材４も回転し、錠装置１を施錠操作することができる。この状態では、図３（ｃ）に示すように、操作摘み部材４と操作杆２ａとの相対回転位置に変化はないために、トーションスプリング５の撓み角は不変であり、操作摘み部材４は横一文字状に留まる。
【００２１】
摘み突部４ａが縦一文字状の回転位置から横一文字状の回転位置にあることから、利用者は、錠装置１が現在施錠状態にあることを知ることができる。
【００２２】
図４に示すように、施錠状態から工具（Ｔ）等を使用して操作摘み部材４に解錠方向の回転操作を加えても、該操作摘み部材４は操作杆２ａに対して空転するために錠装置１が操作されることはない。このとき、トーションスプリング５は巻き込み角を変化させるように変形して操作摘み部材４の相対回転を許容し、操作摘み部材４への操作力の解除に伴って弾性復元力により原位置に復帰する。
【００２３】
図５に付勢手段５として永久磁石を使用した本発明の他の実施の形態を示す。なお、本実施の形態の説明において、上述した実施の形態と実質的に同一の構成要素は図中に同一符号を付して説明を省略する。
【００２４】
この実施の形態において操作摘み部材４と操作杆２ａには各々永久磁石（付勢手段５）が固定される。操作杆側永久磁石５Ｂは操作杆２ａの回転中心を通過し、磁極が操作杆２ａの外周近傍に位置するように固定される。
【００２５】
一方、摘み突部側永久磁石５Ａは軸挿通孔４ｂを隔てて一直線上に２個固定される。これら摘み突部側永久磁石５Ａは図５に示すように、軸挿通孔４ｂを隔てて反対磁極が対向し、かつ、操作杆側永久磁石５Ｂの磁極に対峙可能なように固定される。
【００２６】
したがってこの実施の形態において、図５に示す解錠位置からサムターン軸２を直接操作して施錠状態に移行した場合には、図６（ｂ）に示すように、永久磁石５Ａ、５Ｂ間の相対関係は不変なために、操作摘み部材４はサムターン軸２とともに新たな回転位置に移動、保持される。
【００２７】
これに対し、室外から工具（Ｔ）等を使用して操作摘み部材４を回転させた場合には、操作摘み部材４のみがサムターン軸２に対して相対回転し、錠装置１が解錠されることはない。この状態で摘み突部側永久磁石５Ａには、図６（ｃ）に示すように、操作杆側永久磁石５Ｂによる吸引力と排斥力による回転トルクが発生しており、操作摘み部材４への操作力が解除されると操作摘み部材４は原位置に復帰する。
【図面の簡単な説明】
【００２８】
【図１】本発明を示す図で、（ａ）は半断面図、（ｂ）は（ａ）の１Ｂ-１Ｂ線半断面図である。
【図２】付勢手段を示す図で、（ａ）は図１（ａ）の２Ａ-２Ａ線断面図、（ｂ）は図１（ａ）の２Ｂ-２Ｂ線断面図である。
【図３】施錠状態を示す図で、（ａ）は図１（ａ）に対応する図、（ｂ）は図１（ｂ）に対応する図、（ｃ）は図２（ｂ）に対応する図である。
【図４】不正操作時の動作を示す説明図で、（ａ）は正面図、（ｂ）は付勢手段の動作を示す断面図である。
【図５】本発明の他の実施の形態を示す図で、（ａ）は断面図、（ｂ）は（ａ）の５Ｂ-５Ｂ線断面図である。
【図６】施錠状態示す図で、（ａ）は図５（ａ）に対応する図、（ｂ）は図５（ｂ）に対応する図、（ｃ）は不正操作時の永久磁石の動作を示す図である。
【符号の説明】
【００２９】
１        錠装置
２        サムターン軸
３        窓部
５        付勢手段
【図１】
2007002558.tif 000003
【図２】
2007002558.tif 000004
【図３】
2007002558.tif 000005
【図４】
2007002558.tif 000006
【図５】
2007002558.tif 000007
【図６】
2007002558.tif 000008